(57)【特許請求の範囲】
【請求項１】
スタートスイッチの操作を契機にリールを回転させ、ストップスイッチの操作を契機に前記リールの回転を停止させるスロットマシンにあって、
前記リールを回転駆動するステッピングモータと、
該ステッピングモータの励磁パターンを切り替えることにより、前記リールの回転を制御するリール制御手段と、
前記ストップスイッチの操作を契機として、前記リールの停止位置を決定する停止位置決定手段と
を備え、
前記リール制御手段は、
前記ステッピングモータの励磁パターンを所定の励磁順序で切り替えることにより、前記ステッピングモータを一方向に回転させるとともに、前記励磁パターンの切替間隔によって前記ステッピングモータの回転速度を制御するものであって、
前記ストップスイッチの操作後に、前記停止位置決定手段が決定した前記停止位置に前記リールを停止させる停止制御を実行するものであり、
前記停止制御は、通常停止制御と特殊停止制御を含み、
前記通常停止制御及び前記特殊停止制御は、
前記ステッピングモータの励磁パターンを前記所定の励磁順序で切り替えることにより、前記停止位置の手前に設定された制動開始位置まで前記リールを回転させる制動前ステップと、
前記リールが前記制動開始位置に到達してから、少なくとも前記ステッピングモータの回転が停止するまで、前記ステッピングモータを規定の励磁パターンに固定する制動ステップとによって構成されており、
前記通常停止制御の前記制動前ステップは、前記リールを加速することなく、前記リールを前記制動開始位置まで回転させるものであり、
前記特殊停止制御の前記制動前ステップは、前記リールを減速させる一時減速ステップと、該一時減速ステップの後に、前記リールを加速する再加速ステップとを含むものであり、
前記通常停止制御及び前記特殊停止制御は、前記停止位置決定手段が決定する停止位置に対して、前記制動開始位置及び前記制動ステップが共通しており、
前記通常停止制御及び前記特殊停止制御の前記制動前ステップは、前記制動開始位置に前記リールが到達する直前に、前記所定の励磁順序で前記ステッピングモータの励磁パターンを、予め規定された共通の制動前切替間隔で切り替える共通の制御内容を含み、
前記共通の制御内容は、前記特殊停止制御では、少なくとも前記再加速ステップの終了後に実行され、
前記リール制御手段は、
前記スタートスイッチの操作後に、前記リールを所定回転速度にまで加速する加速制御を実行するものであって、
該加速制御における前記ステッピングモータの励磁パターンの切替間隔が規定された加速用励磁パターン切替テーブルを備え、
前記加速制御では、該加速用励磁パターン切替テーブルに規定された切替間隔で、前記ステッピングモータの励磁パターンを前記所定の励磁順序で切り替え、
前記再加速ステップでは、前記加速用励磁パターン切替テーブルの少なくとも一部に規定された切替間隔で、前記ステッピングモータの励磁パターンを前記所定の励磁順序で切り替えることを特徴とするスロットマシン。
【請求項２】
スタートスイッチの操作を契機にリールを回転させ、ストップスイッチの操作を契機に前記リールの回転を停止させるスロットマシンにあって、
前記リールを回転駆動するステッピングモータと、
該ステッピングモータの励磁パターンを切り替えることにより、前記リールの回転を制御するリール制御手段と、
前記ストップスイッチの操作を契機として、前記リールの停止位置を決定する停止位置決定手段と
を備え、
前記リール制御手段は、
前記ステッピングモータの励磁パターンを所定の励磁順序で切り替えることにより、前記ステッピングモータを一方向に回転させるとともに、前記励磁パターンの切替間隔によって前記ステッピングモータの回転速度を制御するものであって、
前記ストップスイッチの操作後に、前記停止位置決定手段が決定した前記停止位置に前記リールを停止させる停止制御を実行するものであり、
前記停止制御は、通常停止制御と特殊停止制御を含み、
前記通常停止制御及び前記特殊停止制御は、
前記ステッピングモータの励磁パターンを前記所定の励磁順序で切り替えることにより、前記停止位置の手前に設定された制動開始位置まで前記リールを回転させる制動前ステップと、
前記リールが前記制動開始位置に到達してから、少なくとも前記ステッピングモータの回転が停止するまで、前記ステッピングモータを規定の励磁パターンに固定する制動ステップとによって構成されており、
前記通常停止制御の前記制動前ステップは、前記リールを加速することなく、前記リールを前記制動開始位置まで回転させるものであり、
前記特殊停止制御の前記制動前ステップは、前記リールを減速させる一時減速ステップと、該一時減速ステップの後に、前記リールを加速する再加速ステップとを含むものであり、
前記通常停止制御及び前記特殊停止制御は、前記停止位置決定手段が決定する停止位置に対して、前記制動開始位置及び前記制動ステップが共通しており、
前記通常停止制御及び前記特殊停止制御の前記制動前ステップは、前記リールが所定の制動前速度で前記制動開始位置に到達するように前記ステッピングモータの回転速度を夫々制御するものであり、
前記リール制御手段は、
前記スタートスイッチの操作後に、前記リールを所定回転速度にまで加速する加速制御を実行するものであって、
該加速制御における前記ステッピングモータの励磁パターンの切替間隔が規定された加速用励磁パターン切替テーブルを備え、
前記加速制御では、該加速用励磁パターン切替テーブルに規定された切替間隔で、前記ステッピングモータの励磁パターンを前記所定の励磁順序で切り替え、
前記再加速ステップでは、前記加速用励磁パターン切替テーブルの少なくとも一部に規定された切替間隔で、前記ステッピングモータの励磁パターンを前記所定の励磁順序で切り替えることを特徴とするスロットマシン。
【請求項３】
スタートスイッチの操作を契機にリールを回転させ、ストップスイッチの操作を契機に前記リールの回転を停止させるスロットマシンにあって、
前記リールを回転駆動するステッピングモータと、
該ステッピングモータの励磁パターンを切り替えることにより、前記リールの回転を制御するリール制御手段と、
前記ストップスイッチの操作を契機として、前記リールの停止位置を決定する停止位置決定手段と
を備え、
前記リール制御手段は、
前記ステッピングモータの励磁パターンを所定の励磁順序で切り替えることにより、前記ステッピングモータを一方向に回転させるとともに、前記励磁パターンの切替間隔によって前記ステッピングモータの回転速度を制御するものであって、
前記スタートスイッチの操作後に、前記リールを所定回転速度にまで加速する加速制御と、
該加速制御の後に、前記ストップスイッチが操作されるまで、前記リールを前記所定回転速度で回転させる定速制御と、
前記ストップスイッチの操作後に、前記停止位置決定手段が決定した前記停止位置に前記リールを停止させる停止制御と
を実行するものであり、
前記停止制御は、
前記ストップスイッチの操作後に、前記リールを加速することなく、前記リールを前記停止位置で停止させる通常停止制御と、
前記ストップスイッチの操作後に前記リールを減速させる一時減速ステップと、該一時減速ステップの後に、前記リールの回転速度を前記所定回転速度まで加速する再加速ステップとを、前記リールを前記停止位置で停止させる前に実行する特殊停止制御と
を含み、
前記リール制御手段は、
前記加速制御における前記ステッピングモータの励磁パターンの切替間隔が規定された加速用励磁パターン切替テーブルを備え、
前記加速制御では、該加速用励磁パターン切替テーブルに規定された切替間隔で、前記ステッピングモータの励磁パターンを前記所定の励磁順序で切り替え、
前記再加速ステップでは、前記加速用励磁パターン切替テーブルの少なくとも一部に規定された切替間隔で、前記ステッピングモータの励磁パターンを前記所定の励磁順序で切り替えることを特徴とするスロットマシン。
【発明の詳細な説明】
【技術分野】
【０００１】
本発明は、スタートスイッチの操作を契機にリールを回転させ、ストップスイッチの操作を契機にリールの回転を停止させるスロットマシンに関する。
【背景技術】
【０００２】
スロットマシンは、外周面に沿って複数の図柄が付されたリールを備えており、該リールをスタートスイッチの操作を契機としてリールを回転させ、ストップスイッチの操作を契機に停止させて、リールの停止位置に応じた図柄を遊技者に表示する。具体的には、リールはステッピングモータによって駆動し、ストップスイッチが操作された時点で、リールの停止位置を決定して、リールを当該停止位置で停止させるようステッピングモータを制御している。基本的に、リールの停止位置は、ストップスイッチの操作タイミングだけでは決定されず、役抽選結果やストップスイッチの操作順序等に応じて変動するよう構成される。しかしながら、ストップスイッチ操作からリール停止までの時間が長くなると、ストップスイッチ操作によってリールを停止させていると遊技者に実感させ難いため、従来構成では、ストップスイッチ操作から短時間（約０．２秒以内）でリールを停止させている。
【０００３】
ここで、従来のスロットマシンには、通常停止制御に比べてリールの減速を早期に開始する特殊停止制御を備えたものが知られている。かかる構成にあっては、スロットマシンの内部状態に応じて、特殊停止制御でリールを停止させることで、遊技者にスロットマシンの内部状態を示唆したり、報知したりしている。
【先行技術文献】
【特許文献】
【０００４】
【特許文献１】特許第５６６７４６０号公報
【発明の概要】
【発明が解決しようとする課題】
【０００５】
上記特許文献１に係る特殊停止制御は、リールの減速開始が通常よりも早くなるだけであり、通常停止制御との相違が明確でないため、特殊停止制御を実行しても遊技者が見逃してしまうことが多く、また、遊技者が停止態様の異常を感じた場合でも、特殊停止制御であると確信できないことが多い。このため、従来構成の特殊停止制御は、演出効果が十分ではなかった。
【０００６】
本発明はかかる現状に鑑みてなされたものであり、演出効果の高い新たな特殊停止制御を備えるスロットマシンの提供を目的とする。
【課題を解決するための手段】
【０００７】
本発明は、スタートスイッチの操作を契機にリールを回転させ、ストップスイッチの操作を契機に前記リールの回転を停止させるスロットマシンにあって、前記リールを回転駆動するステッピングモータと、該ステッピングモータの励磁パターンを切り替えることにより、前記リールの回転を制御するリール制御手段と、前記ストップスイッチの操作を契機として、前記リールの停止位置を決定する停止位置決定手段とを備え、前記リール制御手段は、前記ステッピングモータの励磁パターンを所定の励磁順序で切り替えることにより、前記ステッピングモータを一方向に回転させるとともに、前記励磁パターンの切替間隔によって前記ステッピングモータの回転速度を制御するものであって、前記ストップスイッチの操作後に、前記停止位置決定手段が決定した前記停止位置に前記リールを停止させる停止制御を実行するものであり、前記停止制御は、通常停止制御と特殊停止制御を含み、前記通常停止制御及び前記特殊停止制御は、前記ステッピングモータの励磁パターンを前記所定の励磁順序で切り替えることにより、前記停止位置の手前に設定された制動開始位置まで前記リールを回転させる制動前ステップと、前記リールが前記制動開始位置に到達してから、少なくとも前記ステッピングモータの回転が停止するまで、前記ステッピングモータを規定の励磁パターンに固定する制動ステップとによって構成されており、前記通常停止制御の前記制動前ステップは、前記リールを加速することなく、前記リールを前記制動開始位置まで回転させるものであり、前記特殊停止制御の前記制動前ステップは、前記リールを減速させる一時減速ステップと、該一時減速ステップの後に、前記リールを加速する再加速ステップとを含むものであり、前記通常停止制御及び前記特殊停止制御は、前記停止位置決定手段が決定する停止位置に対して、前記制動開始位置及び前記制動ステップが共通しており、前記通常停止制御及び前記特殊停止制御の前記制動前ステップは、前記制動開始位置に前記リールが到達する直前に、前記所定の励磁順序で前記ステッピングモータの励磁パターンを、予め規定された共通の制動前切替間隔で切り替える共通の制御内容を含み、前記共通の制御内容は、前記特殊停止制御では、少なくとも前記再加速ステップの終了後に実行され、前記リール制御手段は、前記スタートスイッチの操作後に、前記リールを所定回転速度にまで加速する加速制御を実行するものであって、該加速制御における前記ステッピングモータの励磁パターンの切替間隔が規定された加速用励磁パターン切替テーブルを備え、前記加速制御では、該加速用励磁パターン切替テーブルに規定された切替間隔で、前記ステッピングモータの励磁パターンを前記所定の励磁順序で切り替え、前記再加速ステップでは、前記加速用励磁パターン切替テーブルの少なくとも一部に規定された切替間隔で、前記ステッピングモータの励磁パターンを前記所定の励磁順序で切り替えることを特徴とするスロットマシンである。
【０００８】
本発明に係る特殊停止制御では、リールは、ストップスイッチの操作後に一旦減速され、その後、再加速されてから停止位置で停止するため、遊技者の目には、リールが停止直前に何かに引っ掛かったかのように知覚される。このように、かかる特殊停止制御では、通常よりも減速を早く開始するだけの従来の特殊停止制御に比べて極めて不自然な態様でリールが停止するため、注意力が散漫な遊技者にも見逃され難く、また、遊技者が通常停止制御と明瞭に識別できる。したがって、本発明によれば、特殊停止制御による演出効果を従来よりも向上させることが可能となる。
【０００９】
また、かかる構成にあっては、通常停止制御と特殊停止制御において、制動開始位置に到達する直前に共通の制御内容を実行することにより、制動開始位置に到達した時点のリールの挙動は、通常停止制御と特殊停止制御で同様となる。このため、かかる構成では、通常停止制御と特殊停止制御とで、共通の制動開始位置から共通の制動ステップを開始することで、同じ停止位置でリールを停止させることができる。このように、本発明によれば、通常停止制御と特殊停止制御で、共通の制動開始位置を用いるため、スロットマシンの設計時に、リールの慣性等の諸条件に合わせて制動開始位置を決定する手間を軽減できる。また、本発明にあって、制動開始位置直前の制御内容や制動ステップを、通常停止制御と特殊停止制御で共通化すれば、停止制御に係る制御データの簡素化も可能となる。
また、かかる構成にあっては、再加速ステップにおける励磁パターンの切替間隔を規定したテーブルが不要となるため、特殊停止制御に必要な制御データを削減できる。
【００１０】
本発明にあって、前記共通の制御内容は、前記ステッピングモータを基本ステップ角度回転させる単位駆動を、直前の単位駆動と同じ時間で実行する安定駆動を含むことが提案される。
【００１１】
かかる構成にあっては、前記共通の制御内容において、ステッピングモータを安定駆動することで、制動ステップ開始時のリールの挙動が一層安定なものとなるため、通常停止制御と特殊停止制御における停止位置の誤差を小さくできる。
【００１２】
また、本発明にあって、前記再加速ステップは、前記ステッピングモータを基本ステップ角度回転させる単位駆動を、直前の単位駆動よりも短い時間で実行する短縮駆動と、前記単位駆動を、直前の単位駆動と同じ時間で実行する安定駆動とを備えることが提案される。
【００１３】
かかる構成にあっては、再加速ステップで安定駆動を実行することで、再加速ステップにおけるリールの挙動を安定化できる。
【００１４】
また、本発明にあって、前記停止制御は、前記リールの減速度合いが相違する複数種類の前記特殊停止制御を備え、前記リール制御手段は、前記ストップスイッチの操作時点の前記リールの回転位置から、前記停止位置までの距離が短い場合ほど、前記リールの減速度合いの大きい前記特殊停止制御を実行するよう構成されていることが提案される。ここで、「リールの減速度合い」とは、ストップスイッチ操作からリールが制動開始位置に到達するまでの時間の、特殊停止制御と通常停止制御の差の大きさを指す。一時減速ステップにおいてリールを大きく減速するほど、また、低速に維持する時間を長くするほど、かかる減速度合いは大きくなる。
【００１５】
特殊停止制御では、リールの減速度合いを大きくするほど、通常停止制御との停止態様の差が明瞭となって大きな演出効果が得られるが、その一方で、リールの減速度合いを大きくしすぎると、ストップスイッチ操作からリール停止までの時間が過度に長くなるため、好ましくない。かかる構成にあっては、停止位置までの距離が短いほど特殊停止制御におけるリールの減速度合いを大きくするため、リール停止までの時間が過度に長くなるのを防止しつつ、特殊停止制御による演出効果を可及的に高めることができる。
【００１８】
また、本発明の別の態様として、前記リール制御手段は、前記ステッピングモータの励磁パターンを所定の励磁順序で切り替えることにより、前記ステッピングモータを一方向に回転させるとともに、前記励磁パターンの切替間隔によって前記ステッピングモータの回転速度を制御するものであって、前記ストップスイッチの操作後に、前記停止位置決定手段が決定した前記停止位置に前記リールを停止させる停止制御を実行するものであり、前記停止制御は、通常停止制御と特殊停止制御を含み、前記通常停止制御及び前記特殊停止制御は、前記ステッピングモータの励磁パターンを前記所定の励磁順序で切り替えることにより、前記停止位置の手前に設定された制動開始位置まで前記リールを回転させる制動前ステップと、前記リールが前記制動開始位置に到達してから、少なくとも前記ステッピングモータの回転が停止するまで、前記ステッピングモータを規定の励磁パターンに固定する制動ステップとによって構成されており、前記通常停止制御の前記制動前ステップは、前記リールを加速することなく、前記リールを前記制動開始位置まで回転させるものであり、前記特殊停止制御の前記制動前ステップは、前記リールを減速させる一時減速ステップと、該一時減速ステップの後に、前記リールを加速する再加速ステップとを含むものであり、前記通常停止制御及び前記特殊停止制御は、前記停止位置決定手段が決定する停止位置に対して、前記制動開始位置及び前記制動ステップが共通しており、前記通常停止制御及び前記特殊停止制御の前記制動前ステップは、前記リールが所定の制動前速度で前記制動開始位置に到達するように前記ステッピングモータの回転速度を夫々制御するものであり、前記リール制御手段は、前記スタートスイッチの操作後に、前記リールを所定回転速度にまで加速する加速制御を実行するものであって、該加速制御における前記ステッピングモータの励磁パターンの切替間隔が規定された加速用励磁パターン切替テーブルを備え、前記加速制御では、該加速用励磁パターン切替テーブルに規定された切替間隔で、前記ステッピングモータの励磁パターンを前記所定の励磁順序で切り替え、前記再加速ステップでは、前記加速用励磁パターン切替テーブルの少なくとも一部に規定された切替間隔で、前記ステッピングモータの励磁パターンを前記所定の励磁順序で切り替えることを特徴とするスロットマシンが提案される。
【００１９】
かかる構成にあっては、通常停止制御と特殊停止制御のいずれの場合でも、リールは共通の制動前速度で制動開始位置に到達することとなるため、いずれの場合でも、共通の制動開始位置から共通の制動ステップを開始することで、目標の停止位置でリールを停止させることができる。したがって、かかる構成にあっても、特殊停止制御による演出効果を従来よりも向上させつつ、停止制御に係る制御データを簡素化できる。
【００２０】
また、本発明の別の態様として、前記リール制御手段は、前記ステッピングモータの励磁パターンを所定の励磁順序で切り替えることにより、前記ステッピングモータを一方向に回転させるとともに、前記励磁パターンの切替間隔によって前記ステッピングモータの回転速度を制御するものであって、前記スタートスイッチの操作後に、前記リールを所定回転速度にまで加速する加速制御と、該加速制御の後に、前記ストップスイッチが操作されるまで、前記リールを前記所定回転速度で回転させる定速制御と、前記ストップスイッチの操作後に、前記停止位置決定手段が決定した前記停止位置に前記リールを停止させる停止制御とを実行するものであり、前記停止制御は、前記ストップスイッチの操作後に、前記リールを加速することなく、前記リールを前記停止位置で停止させる通常停止制御と、前記ストップスイッチの操作後に前記リールを減速させる一時減速ステップと、該一時減速ステップの後に、前記リールの回転速度を前記所定回転速度まで加速する再加速ステップとを、前記リールを前記停止位置で停止させる前に実行する特殊停止制御とを含み、前記リール制御手段は、前記加速制御における前記ステッピングモータの励磁パターンの切替間隔が規定された加速用励磁パターン切替テーブルを備え、前記加速制御では、該加速用励磁パターン切替テーブルに規定された切替間隔で、前記ステッピングモータの励磁パターンを前記所定の励磁順序で切り替え、前記再加速ステップでは、前記加速用励磁パターン切替テーブルの少なくとも一部に規定された切替間隔で、前記ステッピングモータの励磁パターンを前記所定の励磁順序で切り替えることを特徴とするスロットマシンが提案される。
【００２１】
かかる構成にあっては、再加速ステップにおいて、定速制御時と同じ所定回転速度にまで加速することにより、リールを停止させるまでの時間が過度に長くなるのを防止しつつ、特殊停止制御におけるリールの回転速度変化にメリハリを付けて、通常停止制御との停止態様の差を一層明瞭にすることが可能となる。
【図面の簡単な説明】
【００２２】
【図１】スロットマシン１の正面図である。
【図２】リールユニット１０の斜視図である。
【図３】左リール装置１１ａの右側面図である。
【図４】リールシール２１ａ，２１ｂ，２１ｃの展開図である。
【図５】リール９ａ〜９ｃの制御にかかる制御回路を示すブロック図である。
【図６】励磁順序テーブルを示す図表である。
【図７】加速用励磁パターン切替テーブルを示す図表である。
【図８】定速用励磁パターン切替テーブルを示す図表である。
【図９】特殊停止用励磁パターン切替テーブルを示す図表である。
【図１０】加速制御及び定速制御における回転速度の変化を示す図表である。
【図１１】定速制御及び停止制御における回転速度の変化を示す図表であり、（ａ）は通常停止制御の場合を示し、（ｂ）は特殊停止制御の場合を示す。
【図１２】左リール制御処理の制御内容を示すフローチャートである。
【図１３】待機処理の制御内容を示すフローチャートである。
【図１４】回転中処理の制御内容を示すフローチャートである。
【図１５】制御状態切替処理の制御内容を示すフローチャートである。
【図１６】停止位置決定処理の制御内容を示すフローチャートである。
【図１７】制動中処理の制御内容を示すフローチャートである。
【図１８】実施例２に係る第２の特殊停止用励磁パターン切替テーブルを示す図表である。
【図１９】実施例３に係る特殊停止制御の内容を示す説明図である。
【図２０】実施例４に係る、定速制御及び停止制御における回転速度の変化を示す図表であり、（ａ）は通常停止制御の場合を示し、（ｂ）は特殊停止制御の場合を示す。
【発明を実施するための形態】
【００２３】
本発明をスロットマシンに適用した実施形態を、以下の実施例に従って説明する。
なお、下記実施例にあって、本発明に係るリール制御手段及び停止位置決定手段は、メイン用マイクロコンピュータ３０に相当する。また、本発明に係る励磁パターンの切替間隔は、励磁ポインタの更新間隔に相当する。また、本発明に係る制動前速度は、実施例１〜３では最高速度に相当し、実施例４では制動前速度に相当する。
【実施例１】
【００２４】
図１は、本実施例のスロットマシン１の正面図である。スロットマシン１は、前方に開放された筐体２と、該筐体２を前方から覆う前扉３とを備え、該前扉３が筐体２の一側縁に枢支されている。筐体２の内部には、左リール９ａ、中リール９ｂ、右リール９ｃの三つのリールが横並びに配設される。各リール９ａ〜９ｃの外周面には図柄１２が設けられており、筐体２の前面中央部には、各リール９ａ〜９ｃの外周面を視認可能とする表示窓４が設けられる。また、前扉３の前面側には、表示窓４の下方に、遊技操作に用いるベットスイッチ５、スタートスイッチ６、ストップスイッチ７ａ〜７ｃ、精算スイッチ８等の各種スイッチが配設される。
【００２５】
本実施例のスロットマシン１では、リール９ａ〜９ｃを回転させて図柄を変動表示させた後に、リール９ａ〜９ｃを停止させて図柄を表示窓４に停止表示させるゲームが繰り返し実行される。具体的には、１回のゲームは、（１）ゲーム開始に必要な枚数のメダル投入、（２）スタートスイッチ６の操作、（３）リール９ｃの回転、（４）ストップスイッチ７ａ〜７ｃの操作、（５）リール９ａ〜９ｃの停止、（６）停止表示した図柄に基づく入賞処理、の順序で行われる。
【００２６】
図２は、筐体２の内部に固定されたリールユニット１０の斜視図である。リールユニット１０は、左リール９ａを回転させる左リール装置１１ａ、中リール９ｂを回転させる中リール装置１１ｂ、右リール９ｃを回転させる右リール装置１１ｃを一体化したものである。
【００２７】
図３は、左リール装置１１ａの右側面図である。左リール装置１１ａは、左リール９ａと、リールユニット１０に固定的に配設されたベース部材１３と、ベース部材１３に固定されて左リール９ａを回転駆動するステッピングモータ１４とを備えてなる。中リール装置１１ｂ及び右リール装置１１ｃの構成は、左リール装置１１ａと同じである。
【００２８】
ステッピングモータ１４は、ハイブリッド型の４相モータであり、基本ステップ角度は約１．４°（３６０°／２５２ステップ）である。かかるステッピングモータ１４は、表示窓４において、リール９ａの図柄１２が上から下に移動表示されるように、左リール９ａを一方向（図３中の矢印方向）に回転駆動する。ステッピングモータ１４の構造は、既存のスロットマシンでリールの回転駆動に用いられているものと同様であるため、詳細な説明は省略する。
【００２９】
また、左リール装置１１ａは、予め規定された左リール９ａの基準回転位置を検知するための基準位置検知手段を備えている。基準位置検知手段は、左リール９ａとともに回転する突片状の基準位置指標部１６と、左リール９ａが所定の基準回転位置にあるときに基準位置指標部１６を光学的に検知してＯＮ信号を出力する基準位置センサ１７とで構成される。
【００３０】
図２では図示を省略しているが、各リール９ａ〜９ｃの外周面には、図４に示すリールシール２１ａ〜２１ｃが全周に亘って貼付される。リールシール２１ａ〜２１ｃは、２１コマの図柄が一列に印刷された帯状シールであり、各リール９ａ〜９ｃに、別々のリールシール２１ａ〜２１ｃを一枚ずつ貼付することで、２１コマの図柄が各リール９ａ〜９ｃの外周面に等間隔に設けられる。なお、リールシール２１ａ〜２１ｃの図柄１２の配列は、貼付するリール９ａ〜９ｃ毎に相違している。ここで、リール９ａ〜９ｃには、リールシール２１ａ〜２１ｃの貼付位置を示す目印（図示省略）が予め設けられており、リールシール２１ａ〜２１ｃを、当該目印に端部を一致させるように貼付することにより、リール９ａ〜９ｃを所定の回転位置で停止させた時に、所定の図柄１２が表示窓４に表示されるよう構成している。
【００３１】
図５は、リール９ａ〜９ｃの制御にかかる制御回路を示すブロック図である。メイン制御基板２０は、スロットマシン１のゲームの進行に関する制御を主に実行するものであり、リール９ａ〜９ｃの制御は、メイン制御基板２０により実行される。メイン制御基板２０は、メイン用マイクロコンピュータ３０等を配設したプリント基板によって構成されるものであり、基板ケースに収容された状態で、筐体２の内部に配設されている。メイン用マイクロコンピュータ３０は、ＣＰＵ３０ａ、タイマ３０ｂ、ＲＯＭ３０ｃ、ＲＡＭ３０ｄ、入出力ポート３０ｅ等を備えてなる。タイマ３０ｂは、一定時間間隔でＣＰＵ３０ａに割込信号を出力するものである。ＲＡＭ３０ｄは、各種のデータを一時的に記憶保持するものであり、作業領域や、各種のスイッチ・センサからの信号を一時的に記憶する記憶領域、カウンタ等を構成するレジスタ領域、バックアップ用記憶領域などからなる。ＲＯＭ３０ｃには、ＣＰＵ３０ａが実行する制御プログラムや、抽選に用いるテーブル等の固定データが格納される。
【００３２】
スタートスイッチ６は、リール９ａ〜９ｃの回転を開始させる操作（開始操作）に用いるものである。本実施例では、レバー式スイッチが用いられており、レバーの傾動操作により、三つのリール９ａ〜９ｃが回転を開始する。
【００３３】
ストップスイッチ７ａ〜７ｃは、リール９ａ〜９ｃの回転を停止させる操作（停止操作）に用いるものである。三つのストップスイッチ７ａ〜７ｃは、各リール９ａ〜９ｃに個別に対応付けられている。すなわち、左側の左ストップスイッチ７ａを操作すると左リール９ａの回転が停止し、中央の中ストップスイッチ７ｂを操作すると中リール９ｂの回転が停止し、右側の右ストップスイッチ７ｃを操作すると右リール９ｃの回転が停止するよう構成されている。
【００３４】
各リール装置１１ａ〜１１ｃに設けられたステッピングモータ１４及び基準位置センサ１７は、メイン用マイクロコンピュータ３０と接続される。ステッピングモータ１４は、Ａ，Ｂ，／Ａ，／Ｂの４相のコイルと、各コイルを個別に励磁するための４つの入力部を備えている。各入力部は、メイン用マイクロコンピュータ３０と接続されており、メイン用マイクロコンピュータ３０からの入力信号が「１」の場合は、当該入力部に対応するコイルが励磁状態となり、入力信号が「０」の場合は当該入力部に対応するコイルが非励磁状態となるよう構成されている。
【００３５】
以下に、リール９ａ〜９ｃの制御について説明する。なお、三つのリール９ａ〜９ｃの制御は全て共通であるため、以下では、左リール９ａの制御のみを説明し、中リール９ｂ及び右リール９ｃの制御については説明を省略する。
上述のように、左リール９ａは、スタートスイッチ６の操作を契機に回転し、左ストップスイッチ７ａの操作を契機に停止して、図柄１２を表示窓４に停止表示させる。かかる左リール９ａの回転・停止は、メイン用マイクロコンピュータ３０がステッピングモータ１４を制御することにより実現される。メイン用マイクロコンピュータ３０によるステッピングモータ１４の制御状態は、待機状態、回転状態、及び制動状態の３つに大別される。
【００３６】
待機状態は、ステッピングモータ１４を休止させている状態である。待機状態では、メイン用マイクロコンピュータ３０は、ステッピングモータ１４の全ての入力部に「０」を出力し続ける。このため、待機状態では、ステッピングモータ１４は、４相のコイルの全てが非励磁となる無励磁状態となり、無励磁状態の制動トルクにより左リール９ａは静止し続けることとなる。なお、待機状態では、ステッピングモータ１４を無励磁状態とせず、各相のコイルの励磁状態を維持するようにしてもよい。
【００３７】
回転状態は、ステッピングモータ１４の励磁パターンを所定順序で切り替えて、左リール９ａを回転駆動している状態である。具体的には、メイン用マイクロコンピュータ３０のＲＯＭ３０ｃには、図６に示すように、ステッピングモータ１４の励磁パターンの切替順序を記憶した励磁順序テーブルが記憶される。励磁順序テーブルは、８通りの励磁パターンを示す励磁データを、励磁ポインタの値で順序付けして記憶したものである。
【００３８】
励磁データは、ステッピングモータ１４の各入力部に１ビットずつ入力する計４ビットのデータであり、励磁データの各ビットの値によって４相のコイルの励磁パターンが決定される。例えば、図６に示すように、励磁ポインタが「０」の時は、Ａ相のみに「１」が入力されるため、Ａ相のコイルが励磁状態となり、Ｂ相，／Ａ相，／Ｂ相の３つのコイルは非励磁状態となる。励磁ポインタは「０」〜「７」の値をとる循環式のカウンタであり、回転状態では、メイン用マイクロコンピュータ３０は、励磁ポインタの値が示す励磁データをステッピングモータ１４の入力部に出力するとともに、所要のタイミングで励磁ポインタを昇順（０→１→２→・・・→７→０→１…）に更新して、次の励磁ポインタの値が示す励磁データを出力すると、ステッピングモータ１４が１ステップ回転することとなる。
【００３９】
ここで、励磁順序テーブルには、ステッピングモータ１４をハーフステップ駆動するための８通りの励磁パターンが順番に記憶されている。ハーフステップ駆動は、４相のコイルのうち、１相を励磁する１相励磁状態と、２相を励磁する２相励磁状態とを交互に繰り返す駆動方式であり、励磁順序テーブルには、偶数の励磁ポインタに１相励磁状態の励磁データが規定され、奇数の励磁ポインタに２相励磁状態の励磁データが規定される。ここで、ハーフステップ駆動の１ステップは、基本ステップ角度の半分となるため、回転状態では、ステッピングモータ１４を５０４ステップ回転させると、左リール９ａが１回転することとなる。また、左リール９ａの外周面には、図柄１２が等間隔に２１コマ設けられているため、回転状態では、２４ステップで左リール９ａが図柄１コマ分回転することとなる。
【００４０】
制動状態は、ステッピングモータ１４の励磁パターンを固定することで制動トルクを発生させて、左リール９ａの回転を停止させる状態である。かかる制動状態では、メイン用マイクロコンピュータ３０は、ステッピングモータ１４の全ての入力部に「１」を出力し続ける。このため、制動状態では、ステッピングモータ１４は、４相のコイル全てが励磁された全相励磁状態に固定されて、全相励磁状態の制動トルクにより左リール９ａは減速して停止することとなる。なお、このように励磁パターンを全相励磁状態に固定すれば、一部のコイルを励磁した状態に固定する場合に比べて、制動状態における制動トルクの変動が小さくなるため、左リール９ａをがたつかせることなく、円滑に停止させることができる。
【００４１】
上述のように、ステッピングモータ１４は、メイン用マイクロコンピュータ３０が励磁ポインタを更新する度に１ステップずつ回転することとなるため、回転状態では、励磁ポインタの更新間隔が短いほど左リール９ａは速く回転し、励磁ポインタの更新間隔が長いほど左リール９ａは遅く回転する。メイン用マイクロコンピュータ３０のＲＯＭ３０ｃには、図７〜９に示すように、励磁ポインタの更新間隔を規定した励磁パターン切替テーブルが記憶されており、回転状態では、メイン用マイクロコンピュータ３０は、励磁パターン切替テーブルに規定された更新間隔で励磁ポインタを更新する。励磁パターン切替テーブルは、加速用、定速用、特殊停止用の三種類が記憶されており、メイン用マイクロコンピュータ３０は状況に応じて、使用するテーブルを三種類の中から選択する。
【００４２】
励磁パターン切替テーブルは、図７〜９に示すように、励磁ポインタの更新間隔を規定するタイマ値を、タイマ参照ポインタの値で順序付けて記憶したものである。タイマ参照ポインタは「０」〜「２３」の値をとる循環式のカウンタであり、タイマ参照ポインタの示すタイマ値の間隔で励磁ポインタが順次更新される。具体的には、図７の加速用励磁パターン切替テーブルの場合は、励磁ポインタは、まず、タイマ参照ポインタ「０」の示すタイマ値「１」の間隔で更新され、次に、タイマ参照ポインタ「１」の示すタイマ値「４１」の間隔で更新される。そして、以下同様に、タイマ参照ポインタが示すタイマ値（「１」→「６」→「１」→「４」→・・・）の間隔で、励磁ポインタが更新される。ここで、励磁パターン切替テーブルに規定されるタイマ値は、１．５ミリ秒間隔の割込処理毎に更新されるタイマ（励磁データ切替タイマ）にセットされる値であり、例えば、タイマ値が「４」の時は、６ミリ秒（４×１．５ミリ秒）経過後に励磁データ切替タイマが計測満了して、励磁ポインタが更新される。すなわち、回転状態では、メイン用マイクロコンピュータ３０は、使用中の励磁パターン切替テーブルのタイマ値が示す間隔で、ステッピングモータ１４を１ステップずつ回転させる。
【００４３】
以下に、左リール９ａの回転速度の制御について説明する。
本実施例では、ステッピングモータ１４の回転速度を２ステップ単位（基本ステップ角度単位）で制御する。具体的には、１相励磁状態から２ステップ回転させて次の１相励磁状態にするまでを単位駆動とする。そして、ステッピングモータ１４を単位駆動させる時間を単位駆動時間として、単位駆動時間の長さを変動させることで、左リール９ａの回転速度を制御する。上述のように、ハーフステップ駆動では、１ステップ毎にステッピングモータ１４を１相励磁状態と２相励磁状態に切り替えるため、単位駆動時間は、１相励磁状態から２相励磁状態への切替間隔と、その直後の２相励磁状態から１相励磁状態への切替間隔との合計となる。図７〜９に示すように、励磁パターン切替テーブルでは、タイマ参照ポインタが偶数の時のタイマ値が１相励磁状態から２相励磁状態への切替間隔を示し、タイマ参照ポインタが奇数の時のタイマ値が２相励磁状態から１相励磁状態への切替間隔を示している。このため、図７〜９に示すように、単位駆動時間は、タイマ参照ポインタの連続する２つの値が示すタイマ値の合計で表される。具体的には、図７の励磁パターン切替テーブルでは、タイマ参照ポインタが「０」と「１」の時のタイマ値は、「１」と「４１」であるため、単位駆動時間は６３ミリ秒（４２×１．５ミリ秒）となり、タイマ参照ポインタが「２２」と「２３」の時のタイマ値は共に「１」であるため、単位駆動時間は３ミリ秒（２×１．５ミリ秒）となる。
【００４４】
本実施例では、ステッピングモータ１４を２相励磁状態から１相励磁状態へ切り替える時の切替間隔のみを変動させることによって単位駆動時間の長さを制御する。具体的には、図７〜９に示すように、励磁パターン切替テーブルでは、タイマ参照ポインタが偶数の時のタイマ値（１相励磁状態から２相励磁状態への切替間隔）は、常に最小値「１（１．５ミリ秒）」に固定され、タイマ参照ポインタが奇数の時のタイマ値（２相励磁状態から１相励磁状態への切替間隔）に応じて単位駆動時間が変動するよう構成されている。このように、２相励磁状態から１相励磁状態への切替間隔のみによって単位駆動時間を制御すれば、１相励磁状態から２相励磁状態への切替間隔の調整が不要となるため、制御処理が簡素化できる。
【００４５】
図７〜９に示すように、励磁パターン切替テーブルによって規定される単位駆動は、単位駆動時間を直前の単位駆動よりも短くする短縮駆動と、直前の単位駆動よりも長くする延長駆動と、直前の単位駆動と同じにする安定駆動に大別される。短縮駆動では、ステッピングモータ１４が基本ステップ角度回転する時間が、直前の単位駆動よりも短くなるため、左リール９ａは加速される。延長駆動では、ステッピングモータ１４が基本ステップ角度回転する時間が、直前の単位駆動よりも長くなるため、左リール９ａは減速される。安定駆動では、ステッピングモータ１４が基本ステップ角度回転する時間が、直前の単位駆動よりも同じとなるため、左リール９ａは定速回転することとなる。このように、本実施例にあっては、ステッピングモータ１４の単位駆動時間を調整することにより、リール９ａの加減速や定速回転を実現する。
【００４６】
上述のように、左リール９ａは、スタートスイッチ６の有効な操作（以下、開始操作ともいう。）を契機に回転を開始し、左ストップスイッチ７ａの有効な操作（以下、左停止操作ともいう。）を契機に停止する。左リール９ａを回転させてから停止させるまでの制御は、開始操作後に、左リール９ａを最高速度まで加速する加速制御と、加速制御の後に停止操作がなされるまで左リール９ａを最高速度で定速回転させる定速制御と、左停止操作後にリール９ａを停止させる停止制御とからなる。ここで「最高速度」とは、メイン用マイクロコンピュータ３０が制御する最高の回転速度であり、単位駆動時間が「３ミリ秒」の時の回転速度である。
【００４７】
メイン用マイクロコンピュータ３０は、加速用励磁パターン切替テーブルに規定されたタイマ値の間隔で励磁ポインタを更新することにより加速制御を実現し、また、定速用励磁パターン切替テーブルに規定されたタイマ値の間隔で励磁ポインタを更新することにより定速制御を実現する。
【００４８】
加速制御及び定速制御の態様を、図１０の実行例に基づいて具体的に説明する。なお、以降の説明では、便宜上、左リール９ａの回転位置を、基準回転位置を「０ステップ」とするとともに、基準回転位置からステッピングモータ１４をｎステップ回転させた回転位置を「ｎステップ」として、左リール９ａの回転位置を０〜５０３ステップで表記する。
【００４９】
図１０は、左リール９ａを６ステップの回転位置から起動させる場合の実行例である。
かかる実行例では、まず、左リール９ａが６ステップの回転位置で静止した状態で、開始操作がなされる。メイン用マイクロコンピュータ３０は、かかる開始操作を契機として、ステッピングモータ１４を待機状態から回転状態に切り替え、加速用励磁パターン切替テーブルに規定された間隔で励磁ポインタを更新して、ステッピングモータ１４を回転させる。
【００５０】
図７に示すように、加速用励磁パターン切替テーブルには複数回の短縮駆動が規定されている。このため、図１０の実行例では、左リール９ａは、６ステップから２６ステップの回転位置まで加速され、２６ステップに達した時点で、最高速度に到達する。
【００５１】
メイン用マイクロコンピュータ３０は、加速用励磁パターン切替テーブルに規定された間隔で励磁ポインタを一通り更新して、左リール９ａを最高速度まで加速すると、定速制御を実行して、左リール９ａを最高速度で定速回転させる。具体的には、メイン用マイクロコンピュータ３０は、励磁パターン切替テーブルを定速用に切り替えて、定速用励磁パターン切替テーブルに規定された間隔で励磁ポインタを更新する。図８に示すように、定速用励磁パターン切替テーブルには、最高速度（単位駆動時間３ミリ秒）での安定駆動が繰り返し規定されており、メイン用マイクロコンピュータ３０は、後述する停止制御を開始するまでは、定速用励磁パターン切替テーブルを繰り返し使用して、左リール９ａを最高速度で回転させる。また、メイン用マイクロコンピュータ３０は、定速制御を開始した後に、基準位置センサ１７から最初のＯＮ信号が入力されると、左ストップスイッチ７ａの操作を有効にするとともに、左リール９ａの現在位置の計測を開始する。
【００５２】
メイン用マイクロコンピュータ３０は、回転制御中に左リール９ａの現在位置を計測するための回転量カウンタを備えている。回転量カウンタは、左リール９ａのステッピングモータ１４の基準回転位置からの回転角度を１ステップ単位で計数するものであり、基準位置センサ１７からのＯＮ信号入力によってリセットされ、１回転に相当する５０４ステップを計数すると元の値に戻るよう構成されている。メイン用マイクロコンピュータ３０は、かかる回転量カウンタの計数値に基づいて左リール９ａの現在位置を特定し、後述の停止制御に使用する。
【００５３】
ここで、本実施例では、回転量カウンタは、上位カウンタと下位カウンタの２つのカウンタによって構成される。上位カウンタは「０」〜「２０」の２１通りの値をとるカウンタであり、下位カウンタは「０」〜「２３」の２４通りの値をとる循環式カウンタである。上位カウンタ及び下位カウンタは、基準位置センサ１７からＯＮ信号が入力された時に「０」にリセットされる。そして、下位カウンタは、メイン用マイクロコンピュータ３０が励磁ポインタを更新する度に更新され、上位カウンタは下位カウンタが「２３」から「０」になる度に更新される。すなわち、下位カウンタは、左リール９ａが基準回転位置から１ステップ回転する度に更新され、上位カウンタは、左リール９ａが基準回転位置から図柄１コマ分（２４ステップ）回転する度に更新される。後述するように、左リール９ａの停止制御は図柄１コマ単位で行われるため、かかる構成のように、図柄１コマ毎に更新される上位カウンタを配設すれば、停止制御における左リール９ａの現在位置の特定が容易となる。
【００５４】
次に、左リール９ａの停止制御について説明する。
メイン用マイクロコンピュータ３０は、定速制御中に左停止操作がなされると、当該操作を契機として、左リール９ａの停止位置を決定し、左リール９ａを当該停止位置で停止させる停止制御を実行する。
【００５５】
左リール９ａには、予め２１箇所の停止可能位置が設定されている。これらの停止可能位置は、２１コマの図柄１２のいずれかの中央部が、表示窓４を横断する中心線４ａ（図１参照）と重なる位置であり、図柄１コマ（２４ステップ）間隔で設定されている。メイン用マイクロコンピュータ３０は、左停止操作を契機として、これらの２１箇所の停止可能位置から停止位置を選択する。具体的には、メイン用マイクロコンピュータ３０は、左停止操作がなされた位置（以下、左停止操作位置という。）から、最も近い停止可能位置を「０コマ目」とするとともに、「０コマ目」から数えてｎ番目の停止可能位置を「ｎコマ目」として、左停止操作の時点で、何コマ目の停止可能位置を停止位置にするかを決定する（いわゆるスベリコマ数の決定）。ここで、左停止操作から、左リール９ａの停止までに時間をかけすぎると、左停止操作により左リール９ａを停止させていると遊技者に実感させ難いため、本実施例では、０〜４コマ目の停止可能位置から左リール９ａの停止位置を決定する。０〜４コマ目の停止可能位置のいずれを停止位置に決定するかは、左停止操作位置や、役抽選の結果、ストップスイッチ７ａ〜７ｃの操作順序等に基づいて決定される。
【００５６】
メイン用マイクロコンピュータ３０は、停止位置を決定すると、リール９ａ〜９ｃの制御状態を定速制御から停止制御に切り替える。停止制御は、制動前ステップと制動ステップとからなる。制動ステップは、ステッピングモータ１４を制動状態（全相励磁状態）として、左リール９ａを停止位置で停止させるステップである。制動前ステップは、左停止操作位置から制動ステップを開始するまで、回転状態によってステッピングモータ１４の励磁パターンを切り替えて左リール９ａを回転させるステップである。
【００５７】
本実施例では、左リール９ａを最高速度で回転させている状態で制動ステップを開始する。ここで、左リール９ａは、制動ステップが開始されても即座には停止せず、慣性により６ステップ回転してから停止する。このため、本実施例では、停止位置の６ステップ前の回転位置が制動開始位置として設定され、左リール９ａが制動開始位置に達するまで制動前ステップが実行され、左リール９ａが制動開始位置に達した時点で制動ステップが開始される。具体的には、本実施例では、左リール９ａの停止可能位置が、基準回転位置から６ステップ、３０ステップ、５４ステップ、７８ステップ・・・と図柄１コマ（２４ステップ）間隔で設定されており、例えば、６ステップの回転位置が停止位置として決定された場合には、０ステップの回転位置が制動開始位置として設定される。制動ステップの実行時間は、最高速度の左リール９ａを停止させるのに十分な時間（ここでは２１０ミリ秒）が設定されており、かかる実行時間が経過すると、メイン用マイクロコンピュータ３０は、ステッピングモータ１４を待機状態に制御する。
【００５８】
本実施例では、通常停止制御と特殊停止制御の二種類の停止制御が設けられている。通常停止制御と特殊停止制御は、決定された停止位置に関して、共通の制動開始位置から共通の制動ステップを開始するものであるが、制動前ステップの制御内容が相違している。具体的には、通常停止制御の制動前ステップでは、左停止操作位置から制動開始位置まで、左リール９ａを最高速度で定速回転させるのに対し、特殊停止制御の制動前ステップは、左リール９ａを一時的に減速させる一時減速ステップと、一時減速ステップの後に、左リール９ａを最高速度まで再加速する再加速ステップとを実行してから、左リール９ａを最高速度で制動開始位置に到達させる。
【００５９】
通常停止制御の制動前ステップでは、定速制御と同様に左リール９ａを最高速度で定速回転させるのみであるため、メイン用マイクロコンピュータ３０は、定速制御と同じ定速用励磁パターン切替テーブル（図８参照）を使用して左リール９ａを制動開始位置まで回転させる。一方、特殊停止制御では、メイン用マイクロコンピュータ３０は、制動開始位置の２４ステップ前を特殊制御開始位置として設定して、左停止操作位置から特殊制御開始位置までは、定速用励磁パターン切替テーブルを使用して、通常停止制御と同様に左リール９ａを最高速度で回転させる。そして、特殊制御開始位置に到達した段階で、図９に示す特殊停止用励磁パターン切替テーブルを使用して左リール９ａを制動開始位置まで回転させる。
【００６０】
特殊停止用励磁パターン切替テーブルは、特殊停止制御における、特殊制御開始位置から制動開始位置までの２４ステップ分の励磁ポインタの更新間隔を規定したものである。図９に示すように、特殊停止用励磁パターン切替テーブルには、タイマ参照ポインタの０〜９には延長駆動が繰り返し規定されており、これにより、制動開始位置の２４ステップ前から１５ステップ前まで、一時減速ステップが実行される。また、タイマ参照ポインタの１０〜１５には短縮駆動が繰り返し規定されており、これにより、制動開始位置の１４ステップ前から９ステップ前まで、再加速ステップが実現される。
【００６１】
また、図９に示すように、特殊停止用励磁パターン切替テーブルのタイマ参照ポインタの１６〜２３には、３ミリ秒の単位駆動時間での安定駆動が繰り返し規定されており、これにより、制動開始位置の８ステップ前から制動開始位置まで、最高速度での左リール９ａの定速回転が実現される。ここで、タイマ参照ポインタの１６〜２３に規定されるタイマ値は、定速用励磁パターン切替テーブル（図８参照）のタイマ参照ポインタの１６〜２３に規定されるタイマ値と同じであり、本実施例では、制動開始位置の８ステップ前から制動開始位置までは、通常停止制御と特殊停止制御で、励磁ポインタが同じ間隔で更新されることとなる。すなわち、定速用と特殊停止用の励磁パターン切替テーブルのタイマ参照ポインタの１６〜２３に規定される一連のタイマ値が、本発明に係る制動前切替間隔に相当する。
【００６２】
本実施例では、開始操作時点で、メイン用マイクロコンピュータ３０が、左リール９ａを特殊停止制御で停止させるか否かを決定する抽選を実行し、当該抽選に当選すると、当該ゲームにおいて、左リール９ａを特殊停止制御で停止させる。なお、上述のように、特殊停止制御を実行するためには、制動開始位置の２４ステップ前に特殊制御開始位置を設定する必要があるため、左停止操作位置から図柄１コマ未満の停止可能位置（０コマ目）を停止位置として決定した場合は、上記抽選の結果に関わらず、左リール９ａを通常停止制御で停止させる。ここで、本実施例では、遊技者に有利な特定の内部状態である場合に上記抽選の当選確率を高くして、当該特定の内部状態の時に特殊停止制御を高頻度で実行することで、当該特定の内部状態であることを、特殊停止制御によって遊技者に示唆するよう構成される。特定の内部状態としては、（イ）役抽選で所定の役に当選した状態、（ロ）ボーナス役等の当選状態を持ち越している状態、（ハ）遊技者に有利な役抽選が実行されている状態、（ニ）遊技者に有利な遊技状態（ＡＴなど）への移行が決定された状態、などが挙げられる。なお、本実施例の構成に替えて、遊技者に有利な特定の内部状態の場合にのみ特殊停止制御を実行することで、当該特定の内部状態であることを特殊停止制御によって遊技者に報知するようにしてもよい。
【００６３】
通常停止制御及び特殊停止制御の制御内容を、図１１の実行例に基づいて具体的に説明する。
図１１（ａ），１１（ｂ）の実行例では、４４８ステップの回転位置で左停止操作がなされ、左停止操作の時点で、メイン用マイクロコンピュータ３０が、２コマ目（６ステップ）を停止位置として決定し、停止位置の６ステップ前（０ステップ）を制動開始位置として設定する。そして、メイン用マイクロコンピュータ３０は、左停止操作位置（４４８ステップ）から制動開始位置（０ステップ）まで左リール９ａを回転させる制動前ステップを実行し、制動開始位置に到達した時点で制動ステップを開始して、左リール９ａを停止位置（６ステップ）で停止させる。
【００６４】
ここで、通常停止制御の制動前ステップでは、図１１（ａ）に示すように、左停止操作前と同様に、左リール９ａを最高速度で制動開始位置まで定速回転させる。これに対して、特殊停止制御の制動前ステップでは、図１１（ｂ）に示すように、左停止操作位置から特殊制御開始位置（４８０ステップ）までは、左リール９ａを最高速度で回転させるが、４８０〜４９０ステップでは、一時減速ステップを実行して、左リール９ａを減速させる。そして、４９０〜４９６ステップでは、再加速ステップを実行して、左リール９ａを最高速度まで加速する。そして、４９６ステップから制動開始位置までは、通常停止制御と同様に、左リール９ａを最高速度で定速回転させる。
【００６５】
このように、特殊停止制御では、左リール９ａは、左停止操作後に一旦減速され、再加速された後に停止位置で停止するため、遊技者の目には、左リール９ａが停止直前に何かに引っ掛かったかのように知覚される。このように、特殊停止制御は、通常停止制御に比べて極めて不自然な態様で左リール９ａが停止するため、注意力が散漫な遊技者にも見逃され難く、また、遊技者が通常停止制御と明瞭に識別可能できる。このため、本実施例では、かかる特殊停止制御を用いて内部状態を示唆することで、従来構成の停止制御によって内部状態を示唆する場合に比べて、高い演出効果を挙げることができる。
【００６６】
また、本実施例では、通常停止制御と特殊停止制御は、制動開始位置の８ステップ前から制動開始位置に到達するまでの制御内容を共通化することで、制動開始位置に到達した時のリール９ａの回転速度が等しくなっているため、通常停止制御と特殊停止制御で、共通の制動開始位置から、共通の制動ステップを実行して、目標の停止位置に停止させることができる。このように、本実施例では、通常停止制御と特殊停止制御で、共通の制動開始位置を用いるため、スロットマシン１の設計時に、左リール９ａの慣性等の諸条件に合わせて制動開始位置を決定する手間を軽減できる。また、本実施例では、制動ステップを、通常停止制御と特殊停止制御で共通化しているため、制動ステップを少ない制御データ量で実現できるという利点もある。
【００６７】
また、通常停止制御及び特殊停止制御で、制動開始位置の８ステップ前から制動開始位置まで、安定駆動を繰り返して左リール９ａを定速回転させるため、制動ステップ開始時の左リール９ａの挙動を一層安定なものとして、通常停止制御と特殊停止制御における停止位置の誤差を小さくできるという利点がある。
【００６８】
また、本実施例では、特殊停止制御の再加速ステップにおいて、左リール９ａの回転速度を定速制御と同じ最高速度まで加速するため、左リール９ａを停止させるまでの時間が過度に長くなるのを防止しつつ、特殊停止制御における左リール９ａの回転速度変化にメリハリを付けて、通常停止制御との停止態様の差を一層明瞭にできるという利点がある。
【００６９】
図１２は、メイン用マイクロコンピュータ３０で実行される、左リール９ａの駆動制御に係る左リール制御処理の制御内容を示したものである。この左リール制御処理は、タイマ割込みによってメイン用マイクロコンピュータ３０で１．５ミリ秒間隔で実行されるものである。なお、中リール９ｂと右リール９ｃの駆動制御に係る制御処理については、左リール制御処理と並行して１．５ミリ秒間隔で実行されるが、左リール制御処理と同様であるため説明を省略する。
【００７０】
図１２に示すように、左リール制御処理では、まず、メイン用マイクロコンピュータ３０は、制御状態カウンタが「１」であるか否かを判定する（Ｓ１０１）。制御状態カウンタは、左リール９ａの制御状態を示すカウンタであり、待機状態の時に「１」となり、加速制御で「２」となり、定速制御で「３」となり、停止制御の制動前ステップで「４」となり、停止制御の制動ステップで「５」となるものである。
【００７１】
そして、ステップＳ１０１で、制御状態カウンタが「１」（待機状態）であると判定した場合は、待機状態に係る待機処理（Ｓ１０２）を実行し、設定された励磁データをステッピングモータ１４に出力して（Ｓ１０８）、左リール制御処理を終了する。ステップＳ１０１で、制御状態カウンタが「１」でないと判定した場合は、制御状態カウンタが「５」（制動ステップ中）であるか否かを判定し（Ｓ１０３）、制御状態カウンタが「５」であると判定した場合は、制動状態に係る制動中処理を実行し（Ｓ１０７）、設定された励磁データをステッピングモータ１４に出力して（Ｓ１０８）、左リール制御処理を終了する。待機処理及び制動中処理の詳細は後述する。
【００７２】
また、ステップＳ１０３で、制御状態カウンタが「５」でないと判定した場合は、回転状態に係る回転中処理（Ｓ１０４）を実行する。そして、基準位置センサがＯＮであるか否かを判定して（Ｓ１０５）、ＯＮである場合には、回転量カウンタの上位カウンタ及び下位カウンタを「０」にリセットし（Ｓ１０６）、最後に、設定された励磁データをステッピングモータ１４に出力して（Ｓ１０８）、左リール制御処理を終了する。回転中処理の詳細は後述する。
【００７３】
図１３は、上記待機処理（図１２：Ｓ１０２）の制御処理内容を示したものである。
待機処理では、まず、メイン用マイクロコンピュータ３０は、スタートスイッチ６の有効な操作がなされたか否かを判定し（Ｓ２０１）、有効な操作がなされていないと判定した場合は、無励磁状態の励磁データ（全て「０」）を出力データとして設定して（Ｓ２０８）、待機処理を終了する。一方、ステップＳ２０１で、スタートスイッチ６の有効な操作がなされたと判定した場合は、制御状態カウンタを「２」に変更し（Ｓ２０２）、加速用励磁パターン切替テーブルを選択する（Ｓ２０３）。そして、タイマ参照ポインタを「０」にリセットして（Ｓ２０４）、加速用励磁パターン切替テーブルにおいてタイマ参照ポインタが示すタイマ値を、励磁データ切替タイマにセットする（Ｓ２０５）。励磁データ切替タイマは、励磁ポインタの更新間隔を計測するためのタイマである。その後、メイン用マイクロコンピュータ３０は、励磁ポインタを初期値（ここでは「６」）に設定し（Ｓ２０６）、励磁ポインタの示す励磁データを出力データとして設定して（Ｓ２０７）、待機処理を終了する。
【００７４】
図１４は、上記回転中処理（図１２：Ｓ１０４）の制御処理内容を示したものである。
回転中処理では、まず、メイン用マイクロコンピュータ３０は、励磁データ切替タイマを更新し（Ｓ３０１）、励磁データ切替タイマが設定されたタイマ値の計測を終了したか否かを判定する（Ｓ３０２）。そして、タイマ値の計測を終了していないと判定した場合は、励磁ポインタの示す励磁データを出力データとして設定して（Ｓ３０９）、ステップＳ３１０へ移行する。一方、タイマ値の計測を終了したと判定した場合は、タイマ参照ポインタを更新して（Ｓ３０３）、励磁パターン切替テーブルにおいてタイマ参照ポインタが示すタイマ値を励磁データ切替タイマにセットする（Ｓ３０４）。さらに、励磁ポインタ及び回転量カウンタを更新し（Ｓ３０５，Ｓ３０６）、励磁ポインタの示す励磁データを出力データとして設定して（Ｓ３０７）、制御状態の切替に係る制御状態切替処理を実行してから（Ｓ３０８）、ステップＳ３１０へ移行する。ステップＳ３１０では、リール９ａの停止位置の決定に係る停止位置決定処理を実行し、その後、回転中処理を終了する。制御状態切替処理及び回転中処理の詳細は後述する。
【００７５】
図１５は、上記制御状態切替処理（図１４：Ｓ３０８）の制御処理内容を示したものである。
制御状態切替処理では、まず、メイン用マイクロコンピュータ３０は、制御状態カウンタが「２」であるか否かを判定し（Ｓ４０１）、制御状態カウンタが「２」（加速制御）であると判定した場合は、タイマ参照ポインタが「２３」であるか否かを判定する（Ｓ４０２）。そして、タイマ参照ポインタが「２３」でないと判定した場合は、加速制御状態を維持することとして、そのまま制御状態切替処理を終了する。一方、タイマ参照ポインタが「２３」であると判定した場合は、制御状態カウンタを「３」（定速制御）に変更し（Ｓ４０３）、定速用励磁パターン切替テーブルを選択してから（Ｓ４０４）、制御状態切替処理を終了する。
【００７６】
ステップＳ４０１で、制御状態カウンタが「２」でないと判定した場合は、制御状態カウンタが「４」（制動前ステップ）であるか否かを判定し（Ｓ４０５）、制御状態カウンタが「４」でないと判定した場合は、そのまま制御状態切替処理を終了する。一方、制御状態カウンタが「４」であると判定した場合は、回転量カウンタの値に基づいて、リール９ａが設定された特殊制御開始位置に達したか否かを判定して（Ｓ４０６）、特殊制御開始位置に達したと判定した場合は、特殊停止用励磁パターン切替テーブルを選択し（Ｓ４０７）、タイマ参照ポインタを「０」に設定する（Ｓ４０８）。そして、特殊停止用励磁パターン切替テーブルにおいて、タイマ参照ポインタが示すタイマ値を励磁データ切替タイマにセットしてから（Ｓ４０９）、制御状態切替処理を終了する。
【００７７】
また、ステップＳ４０６で、左リール９ａが特殊制御開始位置に達していないと判定した場合、又は、特殊制御開始位置が設定されていないと判定した場合（通常停止制御の場合）は、回転量カウンタの値に基づいて、左リール９ａが設定された制動開始位置に達したか否かを判定し（Ｓ４１０）、制動開始位置に達していないと判定した場合は、そのまま、制御状態切替処理を終了する。一方、制動開始位置に達したと判定した場合は、制御状態カウンタを「５」（制動ステップ）に変更し（Ｓ４１１）、制動時間計測タイマを「１４０」にセットして（Ｓ４１２）、さらに、全相励磁状態の励磁データ（全て「１」）を出力データとして設定してから（Ｓ４１３）、制御状態切替処理を終了する。制動時間計測タイマは、制動ステップの実行時間を計測するためのタイマである。
【００７８】
図１６は、上記停止位置決定処理（図１４：Ｓ３１０）の制御処理内容を示したものである。
停止位置決定処理では、まず、メイン用マイクロコンピュータ３０は、制御状態カウンタが「３」（定速制御）であるか否かと、左ストップスイッチ７ａの有効な操作がなされたか否かを判定し（Ｓ５０１，Ｓ５０２）、制御状態カウンタが「３」でない、又は、左ストップスイッチ７ａが有効な操作がなされていないと判定した場合は、そのまま、停止位置決定処理を終了する。一方、制御状態カウンタが「３」であり、かつ、左ストップスイッチ７ａが有効に操作されたと判定した場合は、リール９ａの停止位置を決定する（Ｓ５０３）。具体的には、回転量カウンタの上位カウンタの値に基づいて、左リール９ａの現在位置を特定し、特定した現在位置や、役抽選結果、ストップスイッチ７ａ〜７ｃの操作順序等に基づいて、０〜４コマ目の停止可能位置のいずれかを停止位置として決定する。
【００７９】
続くステップＳ５０４では、決定した停止位置に対応する制動開始位置を設定する。具体的には、左停止操作位置において回転量カウンタの上位カウンタの値が「ｎ」の時に、０コマ目を停止位置と決定した場合は、上位カウンタが「ｎ＋１」に更新される位置を制動開始位置として設定し、４コマ目を停止位置と決定した場合は、上位カウンタが「ｎ＋５」に更新される位置を制動開始位置として設定する。そして、制動開始位置を設定した後は、制御状態カウンタを「４」（制動前ステップ）に変更して（Ｓ５０５）、ステップＳ５０６へ移行する。ステップＳ５０６では、特殊停止制御の実行条件が充足されているかを判定し、当該実行条件が充足されていないと判定した場合は、そのまま停止位置決定処理を終了し、当該実行条件が充足されていると判定した場合は、制動開始位置の図柄１コマ前（２４ステップ前）を特殊制御開始位置として設定してから（Ｓ５０７）、停止位置決定処理を終了する。なお、特殊制御開始位置は、制動開始位置の図柄１コマ前であるから、例えば、上位カウンタが「ｎ＋５」に更新される位置を制動開始位置として設定した場合は、上位カウンタが「ｎ＋４」に更新される位置を特殊制御開始位置として設定する。
【００８０】
図１７は、上記制動中処理（図１２：Ｓ１０７）の制御処理内容を示したものである。
制動中処理では、まず、メイン用マイクロコンピュータ３０は、全相励磁状態の励磁データ（全て「１」）を出力データとして設定する（Ｓ６０１）。次に、制動時間計測タイマを更新して（Ｓ６０２）、制動時間計測タイマが設定された実行時間の計測を終了したか否かを判定する（Ｓ６０３）。そして、計測を終了していないと判定した場合は、そのまま制動中処理を終了し、計測を終了したと判定した場合は制御状態カウンタを「１」（待機状態）に変更して（Ｓ６０４）、制動中処理を終了する。
【００８１】
以上の制御処理にあって、本発明に関するリール制御手段は、左リール９ａに関しては、左リール制御処理によって主に実現される。また、本発明に係る停止位置決定手段は、左リール９ａに関しては、図１６のステップＳ５０３によって主に実現される。また、本発明に係る加速制御、定速制御及び制動前ステップは、回転中処理によって主に実現され、本発明に係る制動ステップは、制動中処理によって主に実現される。
【実施例２】
【００８２】
本実施例は、実施例１から停止制御の内容を変更したものである。なお、停止制御以外は、実施例１と同じ構成であるため、共通する構成については、文中で共通符号を付して詳細な説明を省略する。
本実施例では、通常停止制御と、第１特殊停止制御と、第２特殊停止制御の三種類の停止制御が設けられる。通常停止制御は、実施例１の通常停止制御と同じである。また、第１特殊停止制御は、実施例１の特殊停止制御と同じであり、制動開始位置の２４ステップ前の特殊制御開始位置から、図９に示す特殊停止用励磁パターン切替テーブルを使用することで実現される。
【００８３】
第２特殊停止制御は、本実施例特有のものであり、制動開始位置の２４ステップ前の特殊制御開始位置から、図１８に示す第２の特殊停止用励磁パターン切替テーブルを使用することで実現される。第２の特殊停止用励磁パターン切替テーブルを使用することで実現される。タイマ参照ポインタの０〜５では延長駆動が繰り返し規定されており、これにより、制動開始位置の２４ステップ前から１９ステップ前まで、一時減速ステップが実行される。ここで、第１特殊停止制御の一時減速ステップ（図９参照）では、単位駆動時間を最高速度の「３ミリ秒」から「１３．５ミリ秒」にまで減速するのに対して、第２特殊停止制御の一時減速ステップでは、単位駆動時間を「９０ミリ秒」にまで減速する。このように、第２特殊停止制御では、第１特殊停止制御に比べてリール９ａを大きく減速させるため、リール９ａが一時的に停止したかのように視認され、また、リール９ａが制動開始位置に到達するまでの時間も通常停止制御に比して大幅に長くなるため、第１特殊停止制御に比べて大きな演出効果を得ることができる。
【００８４】
また、第２の特殊停止用励磁パターン切替テーブルでは、タイマ参照ポインタの６〜１７には短縮駆動が複数規定されており、これにより、制動開始位置の１８ステップ前から７ステップ前まで、再加速ステップが実行される。ここで、第１特殊停止制御の再加速ステップ（図９参照）では、短縮駆動のみを繰り返し実行するのに対して、第２特殊停止制御の再加速ステップでは、短縮駆動と短縮駆動との間に安定駆動を実行する。このように、再加速ステップにおいて短縮駆動のみを繰り返さず、適度に安定駆動を実行すれば、短縮駆動のみを実行する再加速ステップに比べて、再加速ステップにおける左リール９ａの挙動を安定化できるという利点がある。
【００８５】
また、本実施例では、左リール９ａの停止位置に応じて、第１特殊停止制御と第２特殊停止制御のいずれかが選択される。具体的には、本実施例では、特殊停止制御の実行条件が充足されたときに、停止位置が左停止操作位置から１コマ目である場合は、第２特殊停止制御が選択され、停止位置が左停止操作位置から２〜４コマ目である場合は、第１特殊停止制御が選択される。
【００８６】
第２特殊停止制御は、第１特殊停止制御に比べて左リール９ａの減速度合いが大きいため、第１特殊停止制御に比べて通常停止制御との停止態様の差が一層明瞭となって大きな演出効果が得られる。しかしながら、左停止操作位置から停止位置までの距離が長い場合には、第２特殊停止制御のように左リール９ａを大きく減速させると、左リール９ａを停止させるまでの時間が過度に長くなるため、好ましくない。このため、本実施例のように、左停止操作位置からの停止位置までの距離が短い場合は、減速度合いの大きい第２特殊停止制御を実行し、左停止操作位置から停止位置までの距離が長い場合には、減速度合いの小さい第１特殊停止制御を実行すれば、左リール９ａを停止させるまでの時間が過度に長くなるのを防止しつつ、第２特殊停止制御によって演出効果を高めることができる。
【実施例３】
【００８７】
本実施例は、実施例１から特殊停止制御の内容を変更したものである。なお、特殊停止制御以外は、実施例１と同じ構成であるため、共通する構成については、文中で共通符号を付して詳細な説明を省略する。
本実施例に係る特殊停止制御は、実施例１の特殊停止制御と同様に、制動開始位置の２４ステップ前の特殊制御開始位置から、特殊停止用励磁パターン切替テーブルを使用することで実現される。
【００８８】
ここで、本実施例では、特殊制御開始位置から、図１９に示す特殊停止用励磁パターン切替テーブルが使用される。かかる特殊停止用励磁パターン切替テーブルは、タイマ参照ポインタが０〜９までしかタイマ値が規定されておらず、図１９に示すように、特殊停止用励磁パターン切替テーブルのタイマ参照ポインタ０〜９に規定されたタイマ値の間隔で励磁ポインタを更新した後は、加速用励磁パターン切替テーブルに切り替えて、加速用励磁パターン切替テーブルのタイマ参照ポインタの１０〜２３に規定されたタイマ値の間隔で励磁ポインタを更新することにより、左リール９ａを制動開始位置まで回転させる。
【００８９】
すなわち、本実施例にあっては、特殊停止制御の一時減速ステップのみが、特殊停止用励磁パターン切替テーブルに規定されたタイマ値によって実現され、再加速ステップと、再加速ステップ後の制御内容については、加速用励磁パターン切替テーブルに規定されたタイマ値によって実現される。したがって、本実施例では、再加速ステップ及びその後の制御内容については、特殊停止用励磁パターン切替テーブルのデータを省略して、特殊停止制御に必要な制御データを削減できる。
【実施例４】
【００９０】
本実施例は、実施例１から停止制御の内容を変更したものである。なお、停止制御以外は、実施例１と同じ構成であるため、共通する構成については、文中で共通符号を付して詳細な説明を省略する。
実施例１の通常停止制御は、制動前ステップにおいて、リール９ａを最高速度で制動開始位置まで定速回転させるのに対して、図２０（ａ）に示すように、本実施例の通常停止制御は、制動前ステップにおいて、左リール９ａを最高速度から所定の制動前速度まで減速する減速ステップを実行した後に、左リール９ａを制動前速度で制動開始位置まで定速回転させる。このように、本実施例では、通常停止制御においてリール９ａが制動前速度で制動開始位置に到達することとなるため、図２０（ｂ）に示すように、特殊停止制御では、再加速ステップにおいて、左リール９ａを制動前速度までしか加速せず、左リール９ａを、通常停止制御と同じ制動前速度で制動開始位置に到達させる。
【００９１】
このように、本発明に係る通常停止制御の制動前ステップは、リールを定速で制動開始位置まで回転させるものに限らず、リールを減速してから制動開始位置に到達させるものであってもよい。
【００９２】
以上に本発明の実施例を説明したが、本発明のスロットマシンは、上記実施例の形態に限らず本発明の要旨を逸脱しない範囲内において種々変更を加えることができる。
【００９３】
例えば、上記実施例では、ステッピングモータ１４をハーフステップ駆動方式で回転させているが、ステッピングモータ１４はフルステップ駆動方式やマイクロステップ駆動方式で回転させてもよい。また、３相、５相モータを本発明に係るステッピングモータに採用することもできる。
【００９４】
また、上記実施例の制動ステップでは、ステッピングモータ１４の励磁パターン１４を全相励磁状態に固定するが、全相励磁状態に替えて、リールが停止するまで、２相励磁状態や１相励磁状態に固定するようにしてもよい。
【００９５】
また、上記実施例では、回転状態におけるリール９ａ〜９ｃの現在位置を、基準回転位置から駆動したステップ数により特定しているが、リールの現在位置はロータリーエンコーダ等を用いて特定してもよい。
【００９６】
また、上記実施例では、通常停止制御及び特殊停止制御において、回転量カウンタの値に基づいて制動開始位置となったと判定すると、制動ステップを開始するよう構成しているが、特殊停止制御においては、特殊停止用励磁パターン切替テーブルの使用中に、タイマ参照ポインタが「２３」に達した時点で、左リール９ａが制動開始位置に到達しているはずであるため、かかるタイマ参照ポインタが「２３」に達した後に、制動ステップを開始するよう構成してもよい。
【００９７】
また、上記実施例では、メイン用マイクロコンピュータ３０がステッピングモータ１４を直接駆動制御しているが、ドライバやコントローラを介して駆動制御を行う構成であってもかまわない。
【００９８】
また、上記実施例では、三つのリール９ａ〜９ｃ全てについて特殊停止制御を実行可能となっているが、本発明は、一つのリールについて特殊停止制御が実行されるだけであってもよい。また、本発明は、通常停止制御と特殊停止制御以外の、第３の停止制御を備える構成も含む。
【００９９】
また、上記実施例の特殊停止制御では、一時減速ステップの直後に再加速ステップを開始しているが、一時減速ステップ終了後に、リールを定速回転させた後に、再加速ステップを開始するようにしてもよい。また、本発明に係る特殊停止制御では、一時減速ステップと再加速ステップを複数回繰り返しても構わない。
【０１００】
また、上記実施例では、制動開始位置に達するまでの「共通の制御内容」が、定速回転となっているが、本発明に係る共通の制御内容は、短縮駆動によってリールを減速させるものであってもよい。
【０１０１】
また、上記実施例では、通常停止制御と特殊停止制御で、異なる励磁パターン切替テーブルを使用して、制御開始位置に達するまでの「共通の制御内容」を実行しているが、「共通の制御内容」を、通常停止制御と特殊停止制御で共通の励磁パターン切替テーブルを使用して実行するようにしてもよい。かかる構成とすれば、停止制御に係る制御データを一層削減することが可能となる。
【符号の説明】
【０１０２】
１  スロットマシン
２  筐体
３  前扉
４  表示窓
５  ベットスイッチ
６  スタートスイッチ
７  ストップスイッチ
８  精算スイッチ
９ａ〜９ｃ  リール
１０  リールユニット
１１ａ〜１１ｃ  リール装置
１２  図柄
１３  ベース部材
１４  ステッピングモータ
１６  基準位置指標部
１７  基準位置センサ
２０  メイン制御基板
２１ａ〜２１ｃ  リールシール
３０  メイン用マイクロコンピュータ
【図１】
0006674319.tif 000002
【図２】
0006674319.tif 000003
【図３】
0006674319.tif 000004
【図４】
0006674319.tif 000005
【図５】
0006674319.tif 000006
【図６】
0006674319.tif 000007
【図７】
0006674319.tif 000008
【図８】
0006674319.tif 000009
【図９】
0006674319.tif 000010
【図１０】
0006674319.tif 000011
【図１１】
0006674319.tif 000012
【図１２】
0006674319.tif 000013
【図１３】
0006674319.tif 000014
【図１４】
0006674319.tif 000015
【図１５】
0006674319.tif 000016
【図１６】
0006674319.tif 000017
【図１７】
0006674319.tif 000018
【図１８】
0006674319.tif 000019
【図１９】
0006674319.tif 000020
【図２０】
0006674319.tif 000021